(57)【要約】【課題】  すべり降り部と階段部とを容易かつ迅速に開閉できるのは勿論、台および保護柵内にバランス良く収容して容易かつ安全に移動かつ保管できるようにする。【解決手段】  台１の頂面板１０の両側に保護囲い２を立設する。頂面板１０の前後にすべり降り部３および階段部４を開閉自在に取り付ける。すべり降り部３を台１および保護囲い２内に収容自在に、また階段部４を保護囲い２内に収容自在に取り付ける。【選択図】        図６
2008173315.tif 000002
【特許請求の範囲】
【請求項１】
台の頂面板の両側に保護囲いを立設し、前記頂面板の前後にすべり降り部および階段部を開閉自在に取り付け、しかも前記すべり降り部を前記台および保護囲い内に収容自在に、また前記階段部を前記保護囲い内に収容自在に取り付けることを特徴とする折りたたみ式すべり台。
【請求項２】
保護囲いの前方内向面にガイド路を垂直に形成し、すべり降り部の上端に前記ガイド路に沿って上下動する摺動手段を一体的に設け、支腕の一端を台内下方に、他端を前記すべり降り部の中間下面にそれぞれ軸着して前記すべり降り部を前記台および保護囲い内に収容自在にすることを特徴とする請求項１の折りたたみ式すべり台。
【請求項３】
ガイド路が断面凹状であり、摺動手段が突軸であることを特徴とする請求項２の折りたたみ式すべり台。
【請求項４】
階段部が間隔をおいて対向する１対の側板間に段部を一体的に形成し、前記各側板の内端上部を保護囲いの後方に軸着して前記階段部を前記保護囲い内に収容自在に取り付けることを特徴とする請求項１の折りたたみ式すべり台。
【請求項５】
台の両側板に出入り口を形成することを特徴とする請求項１の折りたたみ式すべり台。
【請求項６】
台の下面板にすべり片を取り付けることを特徴とする請求項１または５の折りたたみ式すべり台。
【発明の詳細な説明】
【技術分野】
【０００１】
本発明は保育所、幼稚園等の子供用施設で、しかも主に室内で用いられる遊具の一種であるすべり台に関し、特に折りたたみ自在なものに関する。
【背景技術】
【０００２】
従来から前記すべり台として例えば図７で示すものが知られている。これはすべり降り部と階段部とを軸着して全体を略倒Ｖ字状に形成し、図８で示すように折りたたむものである。
【特許文献１】なし
【発明の開示】
【発明が解決しようとする課題】
【０００３】
通常、すべり降り部は階段部より傾斜が緩いため、折りたたんだ場合には図８で示すようにすべり降り部と階段部との長さが不揃いになり、バランスが悪く、寝かせざるを得ず、これを迅速に移動したり、確実に収容することが難しい。特に最近需要の多い木製すべり台では全体の重量が２０ｋｇ前後になり、折りたたみ運搬作業が厄介である。
本発明は前記の不都合を解消することを課題にする。
【課題を解決するための手段】
【０００４】
第１に本発明は、台の頂面板の両側に保護囲いを立設し、前記頂面板の前後にすべり降り部および階段部を開閉自在に取り付け、しかも前記すべり降り部を前記台および保護囲い内に収容自在に、また前記階段部を前記保護囲い内に収容自在に取り付けることを特徴とするものである。
【０００５】
第２に本発明は第１の発明に加え、保護囲いの前方内向面にガイド路を垂直に形成し、すべり降り部の上端に前記ガイド路に沿って上下動する摺動手段を一体的に設け、支腕の一端を台内下方に、他端を前記すべり降り部の中間下面にそれぞれ軸着して前記すべり降り部を前記台および保護囲い内に収容自在にすることを特徴とするものである。
【０００６】
第３に本発明は第２の発明に加え、ガイド路が断面凹状であり、摺動手段が突軸であることを特徴とするものである。
【０００７】
なお、第３の発明ではガイド路が断面凹状で、摺動手段が突軸という関係にしたが、逆にガイド路が断面凸状で、摺動手段が前記凸状部に外嵌する断面凹状のタイプでもよいが、第３の発明の方が製造が容易であり、好ましい。
【０００８】
第４に本発明は第１の発明に加え、階段部が間隔をおいて対向する１対の側板間に段部を一体的に形成し、前記各側板の内端上部を保護囲いの後方に軸着して前記階段部を前記保護囲い内に収容自在に取り付けることを特徴とするものである。
【０００９】
第５に本発明は第１の発明に加え、台の両側板に出入り口を形成することを特徴とするものである。
【００１０】
第６に本発明は第１または第５の発明に加え、台の下面板にすべり片を取り付けることを特徴とするものである。
【発明の効果】
【００１１】
第１の発明によれば、折りたたみ時に保護囲いと台内にすべり降り部が収まり、階段部が保護囲い内に収まり、バランスが良く、迅速に折りたたみかつ移動でき、確実に直立したまま片付けることができ、しかも移動作業は床面上を押して行くだけで足り、この結果、すべり台自体を大型にすることもできる。
【００１２】
第２の発明によれば、第１の発明の効果に加え、すべり降り部の上端は保護囲いに沿って垂直に上昇し、起立時には保護囲い上端から突出することがなく、また下端は上昇していく摺動手段を中心に回動して行くので、操作が容易であるとともにすべり降り部全体を台と保護囲い内に確実に収めることができる。
【００１３】
第３の発明によれば、第２の発明の効果に加え、製造が容易で安価に提供することができる。
【００１４】
第４の発明によれば、第１の発明の効果に加え、１対の側板により、階段での昇降を安全にすることができ、しかも階段部を折りたたんだ際に保護囲い内に嵌挿させることができる。
【００１５】
第５の発明によれば、第１の発明の効果に加え、トンネルの潜り抜け、内部でのままごと遊びなど、遊びのパターンを増やすことができる。
【００１６】
第６の発明によれば、折りたたみ時の運搬作業が極めて容易になる。
【発明を実施するための最良の形態】
【００１７】
本実施の形態は室内用で、しかも後述する軸部分を除いて、木製であり、全体の重量が約２０ｋｇである。
【００１８】
本実施の形態の使用時つまり展開時は図１・３・４で示すように、下面板１３の四隅に支柱１６、１６、１６、１６を立設するとともに前後各２本の支柱１６、１６中程に梁１７、１７を掛設し、左右側縁に間隔を置いて一対の側板１１、１１を立設し、各側板１１に出入口１２を切欠く。
【００１９】
下面板３の前端から距離Ｌ内方に前面板１４を立設して収容空間１５を形成し、側板１１の上方を支持材１８、１８で連結し、支持材１８、１８上に頂面板１０を水平に取付けて台１を形成する。
【００２０】
各梁１７に複数板、具体的には３板の柵板２２ａ、２２ｂ、２２ｃを立設し、各柵板および各前後１対の支柱１６、１６の各上端に手摺材２３を掛設して保護囲い２を形成する。
【００２１】
図５で示すように前方かつ左右１対の柵板２２ａ、２２ａに垂直溝からなるガイド路２０、２０を穿設し、下面板１３の接床面の四隅にフッ素樹脂具体的にはテフロン（商標名）製の四片からなるすべり片６を取付ける。
【００２２】
図４、５で示すようにすべり降り斜面板３２の上端縁に沿って水平板３３の一端を結合し、水平板３３の他端を頂面板１０の前端縁に近接する。すべり降り斜面板３２の下端縁に沿って傾斜の緩い終着板３４の一端を連結し、他端に手掛け切欠き部３５、補強片３５´を有する接床板３６を連結する。
【００２３】
すべり降り斜面板３２、水平板３３、終着板３４、接床板３６の左右側縁に沿って手摺り板３７、３７を取付け、各手摺り板３７の上半身部３７ａを前記各板３２、３３、３４より上方に突設し、下半身３２ｂを前記各板３２、３３、３４より下方に延出し、各手摺り板３７の両端を弧状にするとともに下端部を水平な接床部３７ｂにしてすべり降り部３を形成する。
【００２４】
図５で示すように左右手摺り板３７、３７のそれぞれ上端近傍にビス３１ａを外方に突出するように埋設し、各外方突出部３１ｂに木製の袋ナット３１ｃを螺着して摺動手段３０として円柱上の各突軸３１を突設し、各ガイド路２０に上下自在に嵌入する。
【００２５】
前面板１４の下端外側かつ下面板１３上およびすべり降り斜面板３２の下面かつ略中央部に各々１対ずつの軸受５１ａ、５１ｂおよび回動軸５２ａ、５２ｂを介して支腕５の各端部を回動自在に軸着する。
【００２６】
図３・４・６で示すように、段部４１、４１の左右端に対向する側板４０、４０を取付けて階段部４を形成し、各側板４０の下端縁４３を接床し、下端縁４３の内端にＬ字切欠部４３ａを切欠いて下面板１３との衝突を回避し、各側板４０の内端上部４２を保護囲い２の一部である後方の支柱１６で、しかも頂面板１０位置よりやや高い位置にボルト７、ナット８を介して回動自在に軸着する。
【００２７】
次に本実施の形態の使用法および作用を説明する。図１・４で示す床面９上での展開時においては子供は図４で示す段部４１、４１を登り、頂面板１０に達し、水平板３３でしゃがみ、腰を降ろし、手摺り板３７上縁に触れながらすべり降り斜面板３２をすべり降り、終着板３４に達する。このとき各すべり片６が接床しているが、各接床部３７ｂ、各下端縁４３が接床しているのに加え、各すべり片６には台１、保護囲い２の大きい荷重がかかっているので安定している。時には出入口１２を利用して台１内でのままごと遊びやトンネルの潜り遊びをする。
【００２８】
次に本実施の形態の不使用時には、図６で示すように手掛切欠き部３５に手を掛け、突軸３１をガイド路２０内で摺動させながら押し上げて行く。このとき支腕５が回転軸５２ａを中心に回動し、すべり降り部３、突軸３１、支腕５は図６の実線状態から１点鎖線位置に移動し、さらに支腕５を回動させつつ突軸３１はガイド路２０内を上昇し、最後に前記各部材は２点鎖線の位置に移動し、すべり降り部３全体が収容空間１５内に納まる。
【００２９】
続いてボルト７を中心に階段部４を１８０度、回動すれば図６の実線状態から２点鎖線状態に移動し、保護囲い２内に納まる。そして図２で示すように保育士等が手摺材２３に手を掛け折りたたまれた本体を押して行く。なお、図２とは反対方向、つまりすべり降り部３側から本体を押して行っても、その押し方向は任意である。このとき下面板１３にはすべり片６．６・・・が取付けられているので大きい力を必要とすることなく、大きい荷重の本体を所定の個所に移動させることができる。なお再び本体を展開するには前記と逆動作をすればよい。
【図面の簡単な説明】
【００３０】
【図１】本発明の展開状態を示す斜視図である。
【図２】同上の折りたたみ状態を示す斜視図である。
【図３】同上の展開状態を示す一部を切り欠いた平面図である。
【図４】Ａ−Ａ断面図である。
【図５】本発明の支腕近傍を示す一部切欠き拡大平面図である。
【図６】同上の作用説明図である。
【図７】従来例の展開状態を示す斜視図である。
【図８】同上の折りたたみ状態を示す斜視図である。
【符号の説明】
【００３１】
１  台
２  保護囲い
３  すべり降り部
４  階段部
５  支腕
６  すべり片
１０  頂面板
１１  側板
１２  出入口
１３  下面板
２０  ガイド路
２１  後方
３０  摺動手段
３１  突軸
４０  側板
４１  段部
４２  内端上部
【図１】
2008173315.tif 000003
【図２】
2008173315.tif 000004
【図３】
2008173315.tif 000005
【図４】
2008173315.tif 000006
【図５】
2008173315.tif 000007
【図６】
2008173315.tif 000008
【図７】
2008173315.tif 000009
【図８】
2008173315.tif 000010